(57)【特許請求の範囲】
【請求項１】
通信方法であって、
端末機器が前記端末機器のアップリンク送信ビームとダウンリンク受信ビームとのビーム対応状況を示すビーム対応性情報を決定するステップと、
前記端末機器がネットワーク機器に前記ビーム対応性情報と前記端末機器の能力情報を含む無線リソース制御ＲＲＣシグナリングを送信するステップと、を含み、
ここで、前記端末機器の能力情報と前記ビーム対応性情報が、前記ＲＲＣシグナリングの異なる指示フィールドに担持され、前記端末機器の能力情報が前記端末機器のアップリンク送信ビームグループの情報を含み、前記アップリンク送信ビームグループの情報が、前記アップリンク送信ビームグループの数と前記アップリンク送信ビームグループにおける各アップリンク送信ビームグループに含まれるアップリンク送信ビームの数を含むことを特徴とする通信方法。
【請求項２】
前記ビーム対応状況は複数のビーム対応状況の１つであり、前記複数のビーム対応状況はビーム対応性成立及びビーム対応性不成立を含むことを特徴とする請求項１に記載の通信方法。
【請求項３】
前記方法はさらに、
前記端末機器が前記ネットワーク機器に、前記ビーム対応性情報を含み、ランダムアクセスプロセスにおいて前記端末機器が前記ネットワーク機器にランダムアクセスプリアンブル信号を送信するメッセージである第１のメッセージを送信することを含むことを特徴とする請求項１又は請求項２に記載の通信方法。
【請求項４】
前記方法はさらに、
前記端末機器が前記ネットワーク機器に、前記ビーム対応性情報を含み、ランダムアクセスプロセスにおいて前記端末機器が前記ネットワーク機器に端末機器識別子を送信するメッセージである第２のメッセージを送信することを含むことを特徴とする請求項１乃至請求項３のいずれか一項に記載の通信方法。
【請求項５】
前記方法はさらに、
前記端末機器が前記ネットワーク機器に前記ビーム対応性情報を含むメディアアクセス制御ＭＡＣ制御要素ＣＥを送信することを含むことを特徴とする請求項１乃至請求項４のいずれか一項に記載の通信方法。
【請求項６】
前記ＭＡＣ  ＣＥはさらに前記端末機器の前記アップリンク送信ビームの情報又はアップリンク送信ビームグループの情報の中の少なくとも１つを含むことを特徴とする請求項５に記載の通信方法。
【請求項７】
前記アップリンク送信ビームの情報は前記アップリンク送信ビームの数を含み、前記アップリンク送信ビームグループの情報はさらに、前記アップリンク送信ビームグループに含まれるアップリンク送信ビームの総数を含むことを特徴とする請求項６に記載の通信方法。
【請求項８】
端末機器がビーム対応性情報を決定する前記ステップは、
前記端末機器が、前記端末機器による少なくとも１つのダウンリンク受信ビームに対する測定に基づき、アップリンク伝送用のアップリンク送信ビームを決定できる条件、又は
前記端末機器が、前記ネットワーク機器が前記端末機器の少なくとも１つのアップリンク送信ビームを測定することで得られる前記ネットワーク機器の指示に基づき、ダウンリンク伝送用のダウンリンク受信ビームを決定できる条件のうちの少なくとも１つを満たすと、
前記端末機器が、前記ビーム対応性情報が前記端末機器におけるビーム対応性の成立を示すことを決定することを含むことを特徴とする請求項１乃至請求項７のいずれか一項に記載の通信方法。
【請求項９】
端末機器がネットワーク機器に前記ビーム対応性情報を送信する前記ステップは、
前記端末機器が前記ネットワーク機器の指示に基づき、前記ネットワーク機器に前記ビーム対応性情報を報知することを含むことを特徴とする請求項１に記載の通信方法。
【請求項１０】
通信方法であって、
ネットワーク機器が端末機器から送信された、前記端末機器のアップリンク送信ビームとダウンリンク受信ビームとのビーム対応状況を示すビーム対応性情報を受信するステップと、
前記ビーム対応性情報に基づき、前記端末機器におけるビーム対応状況を決定するステップと、を含み、
ここで、ネットワーク機器が端末機器から送信されたビーム対応性情報を受信する前記ステップは、
前記ネットワーク機器が前記端末機器から送信された、前記ビーム対応性情報と前記端末機器の能力情報を含む無線リソース制御ＲＲＣシグナリングを受信することを含み、ここで、前記端末機器の能力情報と前記ビーム対応性情報が、前記ＲＲＣシグナリングの異なる指示フィールドに担持され、前記端末機器の能力情報が前記端末機器のアップリンク送信ビームグループの情報を含み、前記アップリンク送信ビームグループの情報が、前記アップリンク送信ビームグループの数と前記アップリンク送信ビームグループにおける各アップリンク送信ビームグループに含まれるアップリンク送信ビームの数を含むことを特徴とする通信方法。
【請求項１１】
前記アップリンク送信ビームグループの情報はさらに、前記アップリンク送信ビームグループに含まれるアップリンク送信ビームの総数を含むことを特徴とする請求項１０に記載の通信方法。
【請求項１２】
ネットワーク機器が端末機器から送信されたビーム対応性情報を受信する前記ステップは、
前記ネットワーク機器が、前記端末機器が前記ネットワーク機器の指示に基づき報知した前記ビーム対応性情報を受信すること、を含むことを特徴とする請求項１０に記載の通信方法。
【請求項１３】
端末機器であって、
前記端末機器のアップリンク送信ビームとダウンリンク受信ビームとのビーム対応状況を示すビーム対応性情報を決定するための決定モジュールと、
ネットワーク機器に前記ビーム対応性情報と前記端末機器の能力情報を含む無線リソース制御ＲＲＣシグナリングを送信するための通信モジュールと、を含み、ここで、前記端末機器の能力情報と前記ビーム対応性情報が、前記ＲＲＣシグナリングの異なる指示フィールドに担持され、前記端末機器の能力情報が前記端末機器のアップリンク送信ビームグループの情報を含み、前記アップリンク送信ビームグループの情報が、前記アップリンク送信ビームグループの数と前記アップリンク送信ビームグループにおける各アップリンク送信ビームグループに含まれるアップリンク送信ビームの数を含むことを特徴とする端末機器。
【請求項１４】
前記ビーム対応状況は複数のビーム対応状況の１つであり、前記複数のビーム対応状況はビーム対応性成立及びビーム対応性不成立を含むことを特徴とする請求項１３に記載の端末機器。
【請求項１５】
前記通信モジュールは具体的には、
前記ネットワーク機器に、前記ビーム対応性情報を含み、ランダムアクセスプロセスにおいて前記端末機器が前記ネットワーク機器にランダムアクセスプリアンブル信号を送信するメッセージである第１のメッセージを送信することに用いられることを特徴とする請求項１３又は請求項１４に記載の端末機器。
【請求項１６】
前記通信モジュールはさらに、
前記ネットワーク機器から送信された複数の配置情報を受信すること、及び
前記ビーム対応状況に対応する配置情報を用いてランダムアクセス信号を送信すること、に用いられ、
前記複数の配置情報は、前記複数のビーム対応状況で前記端末機器がランダムアクセス信号を送信するために使用される、ランダムアクセス用の時間領域リソースの情報、ランダムアクセス用の周波数領域リソースの情報又はランダムアクセス用のプリアンブルシーケンスの情報のうちの少なくとも１つを含む配置情報に対応することを特徴とする請求項１３乃至請求項１５のいずれか一項に記載の端末機器。
【請求項１７】
前記複数の配置情報は第１の配置情報及び第２の配置情報を含み、前記第１の配置情報及び第２の配置情報はビーム対応性成立及びビーム対応性不成立の状況で前記端末機器が前記ランダムアクセス信号を送信するために使用される配置情報にそれぞれ対応し、前記通信モジュールは具体的には、
前記ビーム対応性情報が端末機器におけるビーム対応性の成立を示す場合、前記第１の配置情報に含まれるランダムアクセス用の時間領域リソースの情報、ランダムアクセス用の周波数領域リソースの情報又はランダムアクセス用のプリアンブルシーケンスの情報のうちの少なくとも１つを用いて前記ランダムアクセス信号を送信すること、或いは、
前記ビーム対応性情報が前記端末機器におけるビーム対応性の不成立を示す場合、前記第２の配置情報に含まれるランダムアクセス用の時間領域リソースの情報、ランダムアクセス用の周波数領域リソースの情報又はランダムアクセス用のプリアンブルシーケンスの情報のうちの少なくとも１つを用いて前記ランダムアクセス信号を送信することに用いられることを特徴とする請求項１６に記載の端末機器。
【請求項１８】
前記通信モジュールは具体的には、
前記ネットワーク機器に前記ビーム対応性情報を含むメディアアクセス制御ＭＡＣ制御要素ＣＥを送信することに用いられることを特徴とする請求項１３乃至請求項１７のいずれか一項に記載の端末機器。
【請求項１９】
前記ＭＡＣ  ＣＥはさらに前記端末機器の前記アップリンク送信ビームの情報又はアップリンク送信ビームグループの情報の中の少なくとも１つを含むことを特徴とする請求項１８に記載の端末機器。
【請求項２０】
前記アップリンク送信ビームの情報は前記アップリンク送信ビームの数を含み、前記アップリンク送信ビームグループの情報はさらに、前記アップリンク送信ビームグループに含まれるアップリンク送信ビームの総数を含むことを特徴とする請求項１９に記載の端末機器。
【請求項２１】
前記決定モジュールは具体的には、
前記端末機器が、前記端末機器による少なくとも１つのダウンリンク受信ビームに対する測定に基づき、アップリンク伝送用のアップリンク送信ビームを決定できる条件、又は
前記端末機器が、前記ネットワーク機器が前記端末機器の少なくとも１つのアップリンク送信ビームを測定することで得られる前記ネットワーク機器の指示に基づき、ダウンリンク伝送用のダウンリンク受信ビームを決定できる条件のうちの少なくとも１つを満たすと、
前記ビーム対応性情報が前記端末機器におけるビーム対応性の成立を示すことを決定することに用いられることを特徴とする請求項１３乃至請求項２０のいずれか一項に記載の端末機器。
【請求項２２】
前記通信モジュールは具体的には、
前記ネットワーク機器の指示に基づき、前記ネットワーク機器に前記ビーム対応性情報を報知することに用いられることを特徴とする請求項１３に記載の端末機器。
【請求項２３】
ネットワーク機器であって、
端末機器から送信された、前記端末機器のアップリンク送信ビームとダウンリンク受信ビームとのビーム対応状況を示すビーム対応性情報を受信するための通信モジュールと、
前記ビーム対応性情報に基づき、前記端末機器におけるビーム対応状況を決定するための決定モジュールと、を含み、
前記通信モジュールが具体的に、
前記端末機器から送信された、前記ビーム対応性情報と前記端末機器の能力情報を含む無線リソース制御ＲＲＣシグナリングを受信するために使用され、ここで、前記端末機器の能力情報と前記ビーム対応性情報が、前記ＲＲＣシグナリングの異なる指示フィールドに担持され、前記端末機器の能力情報が前記端末機器のアップリンク送信ビームグループの情報を含み、前記アップリンク送信ビームグループの情報が、前記アップリンク送信ビームグループの数と前記アップリンク送信ビームグループにおける各アップリンク送信ビームグループに含まれるアップリンク送信ビームの数を含むことを特徴とするネットワーク機器。
【請求項２４】
前記アップリンク送信ビームグループの情報はさらに、前記アップリンク送信ビームグループに含まれるアップリンク送信ビームの総数を含むことを特徴とする請求項２３に記載のネットワーク機器。
【請求項２５】
前記通信モジュールは具体的には、
前記端末機器が前記ネットワーク機器の指示に基づき報知した前記ビーム対応性情報を受信することに用いられることを特徴とする請求項２３に記載のネットワーク機器。
【発明の詳細な説明】
【技術分野】
【０００１】
本願の実施例は、通信分野に関し、具体的には、通信方法、端末機器及びネットワーク機器に関する。
【背景技術】
【０００２】
マルチビーム（ｍｕｌｔｉ−ｂｅａｍ）システムでは、端末機器及びネットワーク機器はビームフォーミングによって複数のビームをトレーニングでき、異なるビームは異なる方向及び異なるカバレージエリアに対応することができる。具体的には、端末機器は複数のアップリンク送信ビーム及び複数のダウンリンク受信ビームを有してよく、ネットワーク機器は複数のアップリンク受信ビーム及び複数のダウンリンク送信ビームを有してよい。したがって、端末機器はアップリンク方向及びダウンリンク方向という２つのリンク方向でのデータ伝送用のビームを選択する必要があり、機器の負担が大きい。したがって、機器の負担を軽減するための方法が必要とされている。
【発明の概要】
【発明が解決しようとする課題】
【０００３】
本願の実施例は、機器の負担を軽減可能な通信方法、端末機器及びネットワーク機器を提供する。
【課題を解決するための手段】
【０００４】
第１の態様にて提供される通信方法は、端末機器が前記端末機器のアップリンク送信ビームとダウンリンク受信ビームとのビーム対応状況を示すビーム対応性情報を決定するステップと、前記端末機器がネットワーク機器に前記ビーム対応性情報を送信するステップと、を含む。
【０００５】
第１の態様を参照して、第１の態様の幾つかの実現形態において、前記ビーム対応状況は複数のビーム対応状況の１つであり、前記複数のビーム対応状況はビーム対応性成立及びビーム対応性不成立を含む。
【０００６】
一実施例において、該ビーム対応性情報は端末機器におけるアップリンク送信ビームとダウンリンク受信ビームとが対応関係を有するか否かを示し、対応関係を有する場合、端末機器におけるビーム対応性が成立すると見なされ、そうでない場合、該端末機器におけるビーム対応性が成立しないと見なされ、すなわち該複数のビーム対応状況は端末機器におけるビーム対応性成立及びビーム対応性不成立という２つのビーム対応状況を含んでよい。該端末機器は、ネットワーク機器が該端末機器のビーム対応状況に基づき、端末機器に対応するアップリンク及びダウンリンク方向用のトレーニングビームを配置するように、該ネットワーク機器に該ビーム対応性情報を送信してよく、一実施例において、該端末機器におけるビーム対応性が成立する場合、該ネットワーク機器は一方のリンク方向でのトレーニングビームのみを配置するだけでよく、アップリンク送信ビームとダウンリンク受信ビームとの対応関係に基づき、他方のリンク方向での伝送用のビームを決定できる。
【０００７】
第１の態様を参照して、第１の態様の幾つかの実現形態において、端末機器がネットワーク機器に前記ビーム対応性情報を送信する前記ステップは、前記端末機器が前記ネットワーク機器に、前記ビーム対応性情報を含み、ランダムアクセスプロセスにおいて前記端末機器が前記ネットワーク機器にランダムアクセスプリアンブル信号を送信するメッセージである第１のメッセージを送信することを含む。
【０００８】
すなわち、該端末機器はランダムアクセスプロセスにおけるＭｓｇ１メッセージによって該ビーム対応性情報を送信してよい。
【０００９】
第１の態様を参照して、第１の態様の幾つかの実現形態において、前記方法はさらに、前記端末機器が、前記ネットワーク機器から送信された、前記複数のビーム対応状況で前記端末機器がランダムアクセス信号を送信するために使用される、ランダムアクセス用の時間領域リソースの情報、ランダムアクセス用の周波数領域リソースの情報又はランダムアクセス用のプリアンブルシーケンスの情報のうちの少なくとも１つを含む配置情報に対応する複数の配置情報を受信するステップを含み、端末機器がネットワーク機器に前記ビーム対応性情報を送信する前記ステップは、前記端末機器が前記ビーム対応状況に対応する配置情報を用いて前記ランダムアクセス信号を送信することを含む。
【００１０】
第１の態様を参照して、第１の態様の幾つかの実現形態において、前記複数の配置情報は第１の配置情報及び第２の配置情報を含み、前記第１の配置情報及び第２の配置情報は前記ビーム対応性成立及び前記ビーム対応性不成立の状況で前記端末機器が前記ランダムアクセス信号を送信するために使用される配置情報にそれぞれ対応し、端末機器がネットワーク機器に前記ビーム対応性情報を送信する前記ステップは、前記ビーム対応性情報が端末機器におけるビーム対応性の成立を示す場合、前記端末機器は前記第１の配置情報に含まれるランダムアクセス用の時間領域リソースの情報、ランダムアクセス用の周波数領域リソースの情報又はランダムアクセス用のプリアンブルシーケンスの情報のうちの少なくとも１つを用いて前記ランダムアクセス信号を送信すること、或いは、前記ビーム対応性情報が前記端末機器におけるビーム対応性の不成立を示す場合、前記端末機器は前記第２の配置情報に含まれるランダムアクセス用の時間領域リソースの情報、ランダムアクセス用の周波数領域リソースの情報又はランダムアクセス用のプリアンブルシーケンスの情報のうちの少なくとも１つを用いて前記ランダムアクセス信号を送信することを含む。
【００１１】
したがって、ネットワーク機器は該第１のメッセージに含まれるビーム対応性情報に基づいて端末機器におけるビーム対応状況を決定してもよく、また該端末機器がランダムアクセス信号を送信するために使用されるリソースに基づき、端末機器におけるビーム対応状況を決定してもよい。
【００１２】
第１の態様を参照して、第１の態様の幾つかの実現形態において、端末機器がネットワーク機器に前記ビーム対応性情報を送信する前記ステップは、前記端末機器が前記ネットワーク機器に、前記ビーム対応性情報を含み、ランダムアクセスプロセスにおいて前記端末機器が前記ネットワーク機器に端末機器識別子を送信するメッセージである第２のメッセージを送信することを含む。
【００１３】
すなわち、該端末機器はランダムアクセスプロセスにおけるＭｓｇ３メッセージによって該ビーム対応性情報を送信してよい。
【００１４】
一実施例において、該端末機器はＭｓｇ１メッセージによって該ビーム対応性情報を送信してもよく、またＭｓｇ３メッセージによって該ビーム対応性情報を送信してもよく、又はＭｓｇ１メッセージ及びＭｓｇ３メッセージによって該ビーム対応性情報を送信してもよい。
【００１５】
第１の態様を参照して、第１の態様の幾つかの実現形態において、端末機器がネットワーク機器に前記ビーム対応性情報を送信する前記ステップは、前記端末機器が前記ネットワーク機器に前記ビーム対応性情報を含む無線リソース制御ＲＲＣシグナリングを送信することを含む。
【００１６】
第１の態様を参照して、第１の態様の幾つかの実現形態において、前記ビーム対応性情報は前記端末機器の能力情報を報知するためのＲＲＣシグナリングに含まれる。
【００１７】
一実施例において、該ＲＲＣシグナリングは端末機器の能力情報を指示するための能力情報指示フィールド及び該端末機器のビーム対応性情報を指示するためのビーム対応性情報指示フィールドを含んでよい。
【００１８】
第１の態様を参照して、第１の態様の幾つかの実現形態において、端末機器がネットワーク機器に前記ビーム対応性情報を送信する前記ステップは、
前記端末機器が前記ネットワーク機器に前記ビーム対応性情報を含むメディアアクセス制御ＭＡＣ制御要素ＣＥを送信することを含む。
【００１９】
第１の態様を参照して、第１の態様の幾つかの実現形態において、前記ＲＲＣシグナリング又は前記ＭＡＣ  ＣＥはさらに前記端末機器の前記アップリンク送信ビームの情報又はアップリンク送信ビームグループの情報の中の少なくとも一つを含む。
【００２０】
一実施例において、該端末機器はＭｓｇ１メッセージ、Ｍｓｇ３メッセージ、ＲＲＣシグナリング又はＭＡＣ  ＣＥのうちの少なくとも１つによって該ビーム対応性情報を送信してよく、例えば、該端末機器はＭｓｇ１メッセージ及びＭｓｇ３メッセージによって該ビーム対応性情報を送信してもよく、又はＭｓｇ１及びＲＲＣシグナリングによって該ビーム対応性情報を送信してもよく、又はＭｓｇ３及びＲＲＣシグナリングによって該ビーム対応性情報を送信してもよく、又はＭｓｇ１メッセージ、ＭＡＣ  ＣＥ及びＲＲＣシグナリングによって該ビーム対応性情報を送信してもよく、又はＭｓｇ１メッセージ、Ｍｓｇ３メッセージ、ＲＲＣシグナリング及びＭＡＣ  ＣＥによって該ビーム対応性情報を送信してもよい。
【００２１】
第１の態様を参照して、第１の態様の幾つかの実現形態において、前記アップリンク送信ビームの情報は前記アップリンク送信ビームの数を含み、前記アップリンク送信ビームグループの情報は前記アップリンク送信ビームグループの数、前記アップリンク送信ビームグループにおける各アップリンク送信ビームグループに含まれるアップリンク送信ビームの数又は前記アップリンク送信ビームグループに含まれるアップリンク送信ビームの総数のうちの少なくとも１つを含む。
【００２２】
第１の態様を参照して、第１の態様の幾つかの実現形態において、端末機器がビーム対応性情報を決定する前記ステップは、前記端末機器が、前記端末機器による少なくとも１つのダウンリンク受信ビームに対する測定に基づき、アップリンク伝送用のアップリンク送信ビームを決定できる条件、又は前記端末機器が、前記ネットワーク機器が前記端末機器の少なくとも１つのアップリンク送信ビームを測定することで得られる前記ネットワーク機器の指示に基づき、ダウンリンク伝送用のダウンリンク受信ビームを決定できる条件のうちの少なくとも１つを満たすと、前記端末機器が、前記ビーム対応性情報が前記端末機器におけるビーム対応性の成立を示すことを決定することを含む。
【００２３】
第２の態様にて提供される通信方法は、ネットワーク機器が端末機器から送信された、前記端末機器のアップリンク送信ビームとダウンリンク受信ビームとのビーム対応状況を示すビーム対応性情報を受信するステップと、前記ビーム対応性情報に基づき、前記端末機器におけるビーム対応状況を決定するステップと、を含む。
【００２４】
第２の態様を参照して、第２の態様の幾つかの実現形態において、前記ビーム対応状況は複数のビーム対応状況の１つであり、前記複数のビーム対応状況はビーム対応性成立及びビーム対応性不成立を含む。
【００２５】
第２の態様を参照して、第２の態様の幾つかの実現形態において、ネットワーク機器が端末機器から送信されたビーム対応性情報を受信する前記ステップは、前記ネットワーク機器が前記端末機器から送信された、前記ビーム対応性情報を含み、ランダムアクセスプロセスにおいて前記端末機器が前記ネットワーク機器にランダムアクセスプリアンブル信号を送信するメッセージである第１のメッセージを受信する。
【００２６】
第２の態様を参照して、第２の態様の幾つかの実現形態において、前記方法はさらに、前記ネットワーク機器が前記端末機器に、前記複数のビーム対応状況で前記端末機器がランダムアクセス信号を送信するために使用される、ランダムアクセス用の時間領域リソースの情報、ランダムアクセス用の周波数領域リソースの情報又はランダムアクセス用のプリアンブルシーケンスの情報のうちの少なくとも１つを含む配置情報に対応する複数の配置情報を送信するステップを含み、ネットワーク機器が端末機器から送信されたビーム対応性情報を受信する前記ステップは、前記ネットワーク機器が、前記端末機器が前記ビーム対応状況に対応する配置情報を用いて送信した前記ランダムアクセス信号を受信することを含み、前記ビーム対応性情報に基づき、前記端末機器におけるビーム対応状況を決定する前記ステップは、前記ネットワーク機器が受信した前記ランダムアクセス信号に使用される配置情報に基づき、対応するビーム対応状況を決定することを含む。
【００２７】
第２の態様を参照して、第２の態様の幾つかの実現形態において、前記複数の配置情報は第１の配置情報及び第２の配置情報を含み、前記第１の配置情報及び第２の配置情報は前記ビーム対応性成立及び前記ビーム対応性不成立の状況で前記端末機器が前記ランダムアクセス信号を送信するために使用される配置情報にそれぞれ対応し、前記ビーム対応性情報に基づき、前記端末機器におけるビーム対応状況を決定する前記ステップは、前記ネットワーク機器が、前記端末機器が前記第１の配置情報に含まれるランダムアクセス用の時間領域リソースの情報、ランダムアクセス用の周波数領域リソースの情報又はランダムアクセス用のプリアンブルシーケンスの情報のうちの少なくとも１つを用いて送信した前記ランダムアクセス信号を受信した場合、前記ネットワーク機器が前記端末機器におけるビーム対応性の成立を決定すること、或いは前記ネットワーク機器が、前記端末機器が前記第２の配置情報に含まれるランダムアクセス用の時間領域リソースの情報、ランダムアクセス用の周波数領域リソースの情報又はランダムアクセス用のプリアンブルシーケンスの情報のうちの少なくとも１つを用いて送信した前記ランダムアクセス信号を受信した場合、前記ネットワーク機器が前記端末機器におけるビーム対応性の不成立を決定することを含む。
【００２８】
第２の態様を参照して、第２の態様の幾つかの実現形態において、ネットワーク機器が端末機器から送信されたビーム対応性情報を受信する前記ステップは、前記ネットワーク機器が前記端末機器から送信された、前記ビーム対応性情報を含み、ランダムアクセスプロセスにおいて前記端末機器が前記ネットワーク機器に端末機器識別子を送信するメッセージである第２のメッセージを受信することを含む。
【００２９】
第２の態様を参照して、第２の態様の幾つかの実現形態において、ネットワーク機器が端末機器から送信されたビーム対応性情報を受信する前記ステップは、前記ネットワーク機器が前記端末機器から送信された、前記ビーム対応性情報を含む無線リソース制御ＲＲＣシグナリングを受信することを含む。
【００３０】
第２の態様を参照して、第２の態様の幾つかの実現形態において、前記ビーム対応性情報は前記端末機器の能力情報を報知するためのＲＲＣシグナリングに担持される。
【００３１】
第２の態様を参照して、第２の態様の幾つかの実現形態において、ネットワーク機器が端末機器から送信されたビーム対応性情報を受信する前記ステップは、前記ネットワーク機器が前記端末機器から送信された、前記ビーム対応性情報を含むメディアアクセス制御ＭＡＣ制御要素ＣＥを受信することを含む。
【００３２】
第２の態様を参照して、第２の態様の幾つかの実現形態において、前記ＲＲＣシグナリング又は前記ＭＡＣ  ＣＥはさらに前記端末機器の前記アップリンク送信ビームの情報又はアップリンク送信ビームグループの情報の中の少なくとも一つを含む。
【００３３】
第２の態様を参照して、第２の態様の幾つかの実現形態において、前記アップリンク送信ビームの情報は前記アップリンク送信ビームの数を含み、前記アップリンク送信ビームグループの情報は前記アップリンク送信ビームグループの数、前記アップリンク送信ビームグループにおける各アップリンク送信ビームグループに含まれるアップリンク送信ビームの数又は前記アップリンク送信ビームグループに含まれるアップリンク送信ビームの総数のうちの少なくとも１つを含む。
【００３４】
第３の態様にて提供される端末機器は、第１の態様又はその様々な実現形態における方法を実行するためのユニットを含む。
【００３５】
第４の態様にて提供されるネットワーク機器は、第２の態様又はその様々な実現形態における方法を実行するためのユニットを含む。
【００３６】
第５の態様にて提供される端末機器は、メモリ、プロセッサ及び送受信器を含み、前記メモリはプログラムを記憶するために用いられ、前記プロセッサはプログラムを実行するために用いられ、前記プログラムが実行されると、前記プロセッサは前記送受信器に基づいて第１の態様における方法を実行する。
【００３７】
第６の態様にて提供されるネットワーク機器は、メモリ、プロセッサ及び送受信器を含み、前記メモリはプログラムを記憶するために用いられ、前記プロセッサはプログラムを実行するために用いられ、前記プログラムが実行されると、前記プロセッサは前記送受信器に基づいて第２の態様における方法を実行する。
【００３８】
第７の態様にて提供されるコンピュータ読み取り可能な記憶媒体は、端末機器に実行されるプログラムコードを記憶するために用いられ、前記プログラムコードは第１の態様における方法を実行するためのコマンドを含む。
【００３９】
第８の態様にて提供されるコンピュータ読み取り可能な記憶媒体は、ネットワーク機器に実行されるプログラムコードを記憶するために用いられ、前記プログラムコードは第２の態様における方法を実行するためのコマンドを含む。
【図面の簡単な説明】
【００４０】
【図１】本願の実施例による通信システムの概略図である。
【図２】本願の実施例による通信方法の概略フローチャートである。
【図３】本願の実施例による通信方法の概略フローチャートである。
【図４】本願の実施例による端末機器の概略ブロック図である。
【図５】本願の実施例によるネットワーク機器の概略ブロック図である。
【図６】本願の実施例に係る端末機器の概略ブロック図である。
【図７】本願の実施例によるネットワーク機器の概略ブロック図である。
【発明を実施するための形態】
【００４１】
以下、本願の実施例における図面を参照しながら、本願の実施例における技術的解決手段について説明する。
【００４２】
本願の実施例の技術的解決手段は、様々な通信システムに適用することができ、例えば、移動通信用のグローバルシステム（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称する）、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称する）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称する）システム、汎用パケット無線サービス（Ｇｅｎｅｒａｌ  Ｐａｃｋｅｔ  Ｒａｄｉｏ  Ｓｅｒｖｉｃｅ、「ＧＰＲＳ」と略称する）、ロングタームエボリューション（Ｌｏｎｇ  Ｔｅｒｍ  Ｅｖｏｌｕｔｉｏｎ、「ＬＴＥ」と略称する）システム、ＬＴＥ周波数分割複信（Ｆｒｅｑｕｅｎｃｙ  Ｄｉｖｉｓｉｏｎ  Ｄｕｐｌｅｘ、「ＦＤＤ」と略称する）システム、ＬＴＥ時分割複信（Ｔｉｍｅ  Ｄｉｖｉｓｉｏｎ  Ｄｕｐｌｅｘ、「ＴＤＤ」と略称する）、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称する）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称する）通信システム、将来の進化型地上波公共移動通信ネットワーク（Ｐｕｂｌｉｃ  Ｌａｎｄ  Ｍｏｂｉｌｅ  Ｎｅｔｗｏｒｋ、ＰＬＭＮ）又は将来の５Ｇシステムなどである。
【００４３】
図１は、本願の実施例による無線通信システム１００を示す。該無線通信システム１００は少なくとも１つのネットワーク機器１１０を含んでよい。ネットワーク機器１１０は、端末機器と通信する機器であってよい。各ネットワーク機器１１０は特定の地理的領域に通信カバレッジを提供し、且つ該カバレッジ領域内に位置する端末機器と通信することができる。該ネットワーク機器１１０は、ＧＳＭシステム又はＣＤＭＡシステムにおける基地局（Ｂａｓｅ  Ｔｒａｎｓｃｅｉｖｅｒ  Ｓｔａｔｉｏｎ、ＢＴＳ）であってもよく、ＷＣＤＭＡシステムにおける基地局（ＮｏｄｅＢ、ＮＢ）であってもよく、又はＬＴＥシステムにおける進化型基地局（Ｅｖｏｌｖｅｄ  Ｎｏｄｅ  Ｂ、ｅＮＢ又はｅＮｏｄｅＢ）であってもよく、又はクラウド無線アクセスネットワーク（Ｃｌｏｕｄ  Ｒａｄｉｏ  Ａｃｃｅｓｓ  Ｎｅｔｗｏｒｋ、ＣＲＡＮ）における無線コントローラであってもよく、又は該ネットワーク機器は、中継局、アクセスポイント、車載機器、ウェアラブル機器、将来の５Ｇネットワークにおけるネットワーク側機器、伝送ポイント又は将来の進化型ＰＬＭＮにおけるネットワーク機器などであってもよい。
【００４４】
該無線通信システム１００は、ネットワーク機器１１０のカバレッジ範囲内に位置する複数の端末機器１２０をさらに含む。該端末機器１２０は、移動型又は固定型であってよい。該端末機器１２０は、アクセス端末、ユーザ機器（Ｕｓｅｒ  Ｅｑｕｉｐｍｅｎｔ、ＵＥ）、ユーザユニット、加入者ステーション、移動局、モバイルステーション、遠隔局、遠隔端末、移動機器、ユーザ端末、端末、無線通信機器、ユーザエージェント又はユーザ装置であってよい。アクセス端末は、携帯電話、無線電話、セッションイニシエーションプロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）ステーション、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルド機器、計算機器又は無線モデムに接続された他の処理機器、車載機器、ウェアラブル機器、将来の５Ｇネットワークにおける端末機器又は将来の進化型ＰＬＭＮにおける端末機器などであってよい。
【００４５】
図１は、１つのネットワーク機器及び２つの端末機器を例示的に示し、一実施例において、該無線通信システム１００は複数のネットワーク機器を含んでよく、且つ各ネットワーク機器のカバレッジ範囲内に他の数の端末機器を含んでよく、本願の実施例がこれについて限定しない。
【００４６】
一実施例において、該無線通信システム１００は、ネットワークコントローラ、移動管理エンティティなどの他のネットワークエンティティをさらに含んでよく、本願の実施例がこれに限定されない。
【００４７】
無線通信システム１００はマルチビーム技術を採用できる。具体的には、ダウンリンクについて、ネットワーク機器は複数のダウンリンク送信ビーム（ＤＬ  Ｔｘ  Ｂｅａｍ）を有してよく、端末機器は複数のダウンリンク受信ビーム（ＤＬ  Ｒｘ  Ｂｅａｍ）を有してよく、アップリンクについて、端末機器は複数のアップリンク送信ビーム（ＵＬ  Ｔｘ  Ｂｅａｍ）を有してよく、ネットワーク機器は複数のアップリンク受信ビーム（ＵＬ  Ｒｘ  Ｂｅａｍ）を有してよい。
【００４８】
理解の便宜上、ここでは端末機器はＵ１個のアップリンク送信ビーム及びＤ１個のダウンリンク受信ビームを有し、ネットワーク機器はＵ２個のアップリンク受信ビーム及びＤ２個のダウンリンク送信ビームを有すると仮定する。ただし、Ｕ１、Ｕ２、Ｄ１及びＤ２はいずれも１より大きい整数である。
【００４９】
通信プロセスにおいて、ネットワーク機器及び端末機器は現在ダウンリンク伝送に使用されているビーム及び現在アップリンク伝送に使用されているビームを別々に決定する必要があり、それによって大きなシグナリングオーバーヘッド及び機器の大きな負担を引き起こす。
【００５０】
具体的には、ダウンリンク伝送に使用されているビームの選択について、ネットワーク機器は全てのダウンリンク送信ビームのそれぞれを用いて端末機器にＤ１個のダウンリンク信号を送信する必要がある。端末機器はＤ１個のダウンリンク受信ビームを用いてネットワーク機器が同一のダウンリンク送信ビームを用いて送信したＤ１個のダウンリンク信号をそれぞれ測定し、Ｄ１個の測定値を得ることができる。このようにして、端末機器はＤ１×Ｄ２回測定し、Ｄ１×Ｄ２個の測定値を得て、且つ得られた測定値集合に基づき、全てのダウンリンク送信ビーム及びダウンリンク受信ビームから現在使用されているダウンリンク送信ビーム及びダウンリンク受信ビームを決定する必要がある。
【００５１】
同様に、アップリンク伝送に使用されているビームの選択について、端末機器は全てのアップリンク送信ビームのそれぞれを用いてネットワーク機器にアップリンク信号を送信する必要がある。ネットワーク機器は全てのアップリンク受信ビームのそれぞれを用いて端末機器の各アップリンク送信ビームを１回測定し、複数の測定値を得て、且つ得られた測定値集合に基づき、複数のアップリンク送信ビーム及びアップリンク受信ビームから現在使用されているアップリンク送信ビーム及びアップリンク受信ビームを決定する必要がある。
【００５２】
しかしながら、端末機器におけるビーム対応性が成立し、すなわち端末機器のアップリンク送信ビームとダウンリンク受信ビームとが対応関係を有すると、端末機器のアップリンク送信ビームに基づいてダウンリンク受信ビームを決定するか、又はダウンリンク受信ビームに基づいてアップリンク送信ビームを決定できる。このようにして、端末機器は一方のリンク方向でのビーム選択を実行するだけで、他方のリンク方向でのデータ伝送用のビームを得ることができ、それによって機器の負担が軽減される。
【００５３】
図２は、本願の実施例による通信方法２００の概略フローチャートであり、図２に示すように、該方法２００は、Ｓ２１０と、Ｓ２２０と、を含む。
【００５４】
Ｓ２１０、端末機器が該端末機器のアップリンク送信ビームとダウンリンク受信ビームとのビーム対応状況を示すビーム対応性情報を決定する。
【００５５】
一実施例において、該ビーム対応状況は複数のビーム対応状況の１つであり、該複数のビーム対応状況はビーム対応性成立及びビーム対応性不成立を含む。
【００５６】
具体的には、端末機器は複数のビーム対応状況を含むことができ、該ビーム対応性情報は端末機器のアップリンク送信ビーム及びダウンリンク受信ビームの具体的なビーム対応状況を示すことができる。該複数のビーム対応状況は２つのビーム対応状況を含んでよく、該２つのビーム対応状況は端末機器のアップリンク送信ビームとダウンリンク受信ビームとが対応関係を有するか又は対応関係を有しないことであってよく、該端末機器のアップリンク送信ビームとダウンリンク受信ビームとが対応関係を有する場合、端末機器におけるビーム対応性が成立すると見なされ、そうでない場合、端末機器におけるビーム対応性が成立しないと見なされてよい。
【００５７】
端末機器のアップリンク送信ビームとダウンリンク受信ビームとの対応関係は、一対一、すなわち１つのアップリンク送信ビームが１つのダウンリンク受信ビームに対応する関係、又は一対多、例えば、１つのアップリンク送信ビームが複数のダウンリンク受信ビームに対応し、又は複数のアップリンク送信ビームが１つのダウンリンク受信ビームに対応する関係、又は多対多、例えば、複数のアップリンク送信ビームが複数のダウンリンク受信ビームに対応する関係であってよいことを理解されたい。
【００５８】
一つの実施例として、以下の条件のうち少なくとも１つが満たされる場合、該端末機器は該ビーム対応性情報が該端末機器におけるビーム対応性の成立を示すことを決定し、
該端末機器が、該端末機器による少なくとも１つのダウンリンク受信ビームに対する測定に基づき、アップリンク伝送用のアップリンク送信ビームを決定できること、又は
該端末機器が、該ネットワーク機器が該端末機器の少なくとも１つのアップリンク送信ビームを測定することで得られる該ネットワーク機器の指示に基づき、ダウンリンク伝送用のダウンリンク受信ビームを決定できること。
【００５９】
すなわち、以下の条件のうちの少なくとも１つを満たすと、端末機器は該端末機器におけるビーム対応性の成立を決定する。
１、端末機器が、該端末機器による１つ又は複数のＤＬ  Ｒｘ  Ｂｅａｍに対する測定に基づき、アップリンク伝送用のＵＬ  Ｔｘ  Ｂｅａｍを決定できる条件、及び
２、端末機器が、端末機器の１つ又は複数のＵＬ  Ｔｘ  Ｂｅａｍを測定することで得られるネットワーク機器の指示に基づき、ダウンリンク伝送用のＤＬ  Ｒｘ  Ｂｅａｍを決定できる条件。
【００６０】
Ｓ２２０、該端末機器がネットワーク機器に該ビーム対応性情報を送信する。
【００６１】
具体的には、端末機器が該端末機器におけるビーム対応性情報を決定した後、該端末機器はネットワーク機器に該ビーム対応性情報を送信し、一実施例において、該端末機器はランダムアクセスプロセスにおいてネットワーク機器に該ビーム対応性情報を送信してもよく、ランダムアクセスに成功した後、ネットワーク機器に該ビーム対応性情報を送信してもよく、又はランダムアクセスプロセスにもランダムアクセス成功後にもネットワーク機器に該ビーム対応性情報を送信してもよい。該端末機器が該端末機器のビーム対応性情報を報知することはネットワーク機器の指示に基づいて実行されてもよく、プロトコルによって規定されてもよい。
【００６２】
一実施例において、該２２０はさらに、
該端末機器が該ネットワーク機器に、該ビーム対応性情報を含み、ランダムアクセスプロセスにおいて該端末機器が該ネットワーク機器にランダムアクセスプリアンブル信号を送信するメッセージである第１のメッセージを送信することを含んでもよい。
【００６３】
具体的には、該端末機器はネットワーク機器に第１のメッセージを送信してよく、該第１のメッセージは該ビーム対応性情報を含み、ランダムアクセスプロセスにおいて該端末機器が該ネットワーク機器にランダムアクセスプリアンブル信号を送信するメッセージであってよく、すなわち該第１のメッセージはランダムアクセスプロセスにおけるＭｓｇ１メッセージであってよい。すなわち、端末機器はネットワーク機器にＭｓｇ１メッセージを送信してよく、該ネットワーク機器に該端末機器のビーム対応性情報を通知するように、該Ｍｓｇ１メッセージによって該ビーム対応性情報を搬送する。
【００６４】
一実施例において、該方法２００はさらに、
該端末機器が、該ネットワーク機器から送信された、該複数のビーム対応状況で該端末機器がランダムアクセス信号を送信するために使用される、ランダムアクセス用の時間領域リソースの情報、ランダムアクセス用の周波数領域リソースの情報又はランダムアクセス用のプリアンブルシーケンスの情報のうちの少なくとも１つを含む配置情報に対応する複数の配置情報を受信するステップを含んでもよい。
【００６５】
この場合、該Ｓ２１０はさらに、
該端末機器が該ビーム対応状況に対応する配置情報を用いて該ランダムアクセス信号を送信することを含んでもよい。
【００６６】
具体的には、ネットワーク機器は端末機器に複数の配置情報を送信してよく、該複数の配置情報における各配置情報はランダムアクセス用の時間領域リソースの情報、ランダムアクセス用の周波数領域リソースの情報又はランダムアクセス用のプリアンブルシーケンスの情報のうちの少なくとも１つを示してよい。該複数の配置情報は複数のビーム対応状況で該端末機器がランダムアクセス信号（例えば、Ｍｓｇ１メッセージ又はＭｓｇ３メッセージ）を送信するために使用される配置情報にそれぞれ対応し、すなわち、端末機器は異なるビーム対応状況で対応する配置情報を用いてランダムアクセス信号を送信してよい。したがって、ネットワーク機器はさらに端末機器がランダムアクセス信号を送信するために使用される時間領域リソース、周波数領域リソース又はプリアンブルシーケンスのうちの少なくとも１つに基づいて該端末機器が該複数の配置情報におけるどの配置情報を用いるかを決定でき、そして用いられた配置情報に基づいて対応するビーム対応状況を決定してもよい。すなわちネットワーク機器は端末機器が使用したアップリンク伝送用のリソースに基づいて端末機器のビーム対応状況を決定することができる。
【００６７】
１つの実施例として、該複数の配置情報は第１の配置情報及び第２の配置情報を含み、該第１の配置情報及び第２の配置情報は該ビーム対応性成立及び該ビーム対応性不成立の状況で該端末機器が該ランダムアクセス信号を送信するために使用される配置情報にそれぞれ対応し、該端末機器がネットワーク機器に該ビーム対応性情報を送信するステップは、
該ビーム対応性情報が該端末機器におけるビーム対応性の成立を示す場合、該端末機器は該第１の配置情報に含まれるランダムアクセス用の時間領域リソースの情報、ランダムアクセス用の周波数領域リソースの情報又はランダムアクセス用のプリアンブルシーケンスの情報のうちの少なくとも１つを用いて該ランダムアクセス信号を送信すること、或いは、
該ビーム対応性情報が該端末機器におけるビーム対応性の不成立を示す場合、該端末機器は該第２の配置情報に含まれるランダムアクセス用の時間領域リソースの情報、ランダムアクセス用の周波数領域リソースの情報又はランダムアクセス用のプリアンブルシーケンスの情報のうちの少なくとも１つを用いて該ランダムアクセス信号を送信することを含む。
【００６８】
具体的には、該複数のビーム対応状況はビーム対応性成立及びビーム対応性不成立という２つのビーム対応状況を含む。そうすると、該複数の配置情報は第１の配置情報及び第２の配置情報と記された２つの配置情報を含んでもよく、該第１の配置情報及び第２の配置情報はビーム対応性成立及びビーム対応性不成立の状況で該端末機器がランダムアクセス信号を送信するために使用される配置情報にそれぞれ対応し、すなわち該第１の配置情報及び第２の配置情報は２つのビーム対応状況で該端末機器が該ランダムアクセス信号を送信するために使用されるリソースをそれぞれ示す。具体的には、該ビーム対応性情報が該端末機器におけるビーム対応性の成立を示す場合、該端末機器はビーム対応性成立の状況で対応する第１の配置情報を用いてランダムアクセス信号を送信し、或いは該ビーム対応性情報が該端末機器におけるビーム対応性の不成立を示す場合、該端末機器はビーム対応性不成立の状況で対応する第２の配置情報を用いてランダムアクセス信号を送信し、したがって、該ネットワーク機器は端末機器がランダムアクセス信号を送信するために使用されるリソースに基づいて端末機器のビーム対応性が成立するか否かを決定することもできる。すなわち、ネットワーク機器は該第１のメッセージに含まれるビーム対応性情報に基づいて端末機器におけるビーム対応状況を決定してもよく、該端末機器がランダムアクセス信号を送信するために使用されるリソースに基づき、端末機器におけるビーム対応状況を決定してもよい。
【００６９】
一実施例において、ネットワーク機器のＮ個のダウンリンク送信ビームグループはＮ組の配置情報に対応してよく、ただし、Ｎはゼロより大きい整数であり、各組の配置情報は２つの部分を含んでよく、ビーム対応性成立及びビーム対応性不成立という２つの状況にそれぞれ対応し、各組の配置情報は対応するダウンリンク送信ビームグループに対応するアップリンクランダムアクセス信号に使用されるリソース及び／又はプリアンブルシーケンスを示す。
【００７０】
一実施例において、該Ｓ２２０はさらに、
該端末機器が該ネットワーク機器に、該ビーム対応性情報を含み、ランダムアクセスプロセスにおいて該端末機器が該ネットワーク機器に端末機器識別子を送信するメッセージである第２のメッセージを送信することを含んでよい。
【００７１】
具体的には、該端末機器はネットワーク機器に第２のメッセージを送信してよく、該第２のメッセージは該ビーム対応性情報を含み、ランダムアクセスプロセスにおいて該端末機器が該ネットワーク機器に端末機器識別子を送信するメッセージであってよく、すなわち該第２のメッセージはランダムアクセスプロセスにおけるＭｓｇ３メッセージであってよい。すなわち、端末機器はネットワーク機器にＭｓｇ３メッセージを送信してよく、該ネットワーク機器に該端末機器のビーム対応性情報を通知するように、該Ｍｓｇ３メッセージによって該ビーム対応性情報を搬送する。
【００７２】
上記実施例をまとめて、端末機器はランダムアクセスプロセスにおいてＭｓｇ１メッセージ及び／又はＭｓｇ３メッセージによって該端末機器のビーム対応性情報を報知してよい。すなわち、該端末機器はＭｓｇ１メッセージによって該ビーム対応性情報を送信してもよく、Ｍｓｇ３メッセージによって該ビーム対応性情報を送信してもよく、又はＭｓｇ１メッセージ及びＭｓｇ３メッセージによって該ビーム対応性情報を送信してもよい。
【００７３】
１つの実施例として、該Ｓ２２０はさらに、
該端末機器が該ネットワーク機器に該ビーム対応性情報を含む無線リソース制御ＲＲＣシグナリングを送信することを含んでもよい。
【００７４】
具体的には、端末機器がランダムアクセスに成功した後、該端末機器はネットワーク機器に無線リソース制御（Ｒａｄｉｏ  Ｒｅｓｏｕｒｃｅ  Ｃｏｎｔｒｏｌ、ＲＲＣ）シグナリングを送信することができ、該ネットワーク機器に該端末機器のビーム対応状況を通知するように、該第ＲＲＣシグナリングによって該ビーム対応性情報を搬送する。一実施例において、該ＲＲＣシグナリングはさらに該端末機器のアップリンク送信ビームの情報又はアップリンク送信ビームグループの情報の中の少なくとも１つを含んでもよく、ただし、該アップリンク送信ビームの情報はアップリンク送信ビームの数を含んでよく、該アップリンク送信ビームグループの情報はアップリンク送信ビームグループの数、該アップリンク送信ビームグループにおける各アップリンク送信ビームグループに含まれるアップリンク送信ビームの数又は該アップリンク送信ビームグループに含まれるアップリンク送信ビームの総数のうちの少なくとも１つを含んでよい。
【００７５】
一実施例において、該端末機器はＭｓｇ１メッセージ及び／又はＭｓｇ３メッセージによって該ビーム対応性情報を送信してもよく、又はランダムアクセスプロセスにおけるＭｓｇ１メッセージ及び／又はＭｓｇ３メッセージ並びにＲＲＣシグナリングによって該ビーム対応性情報を送信してもよく、すなわちＭｓｇ１及びＲＲＣシグナリングによって該ビーム対応性情報を送信してもよく、又はＭｓｇ３及びＲＲＣシグナリングによって該ビーム対応性情報を送信してもよく、又はＭｓｇ１メッセージ、Ｍｓｇ３メッセージ及びＲＲＣシグナリングによって該ビーム対応性情報を送信してもよい。
【００７６】
１つの実施例として、該ビーム対応性情報は該端末機器の能力情報を報知するためのＲＲＣシグナリングに担持される。
【００７７】
具体的には、端末機器はＲＲＣシグナリングによってネットワーク機器に該端末機器の能力情報を報知してよく、端末機器の能力情報を報知するための該ＲＲＣシグナリングはさらにビーム対応性情報を含んでもよく、すなわち同一のＲＲＣシグナリングによって該ネットワーク機器に該端末機器の能力情報及び該端末機器のビーム対応性情報を通知してよい。具体的には、該端末機器の能力情報及びビーム対応性情報はＲＲＣシグナリングの異なる指示フィールドに担持されてよく、例えば、該ＲＲＣシグナリングは端末機器の能力情報を指示するための能力情報指示フィールド及び該端末機器のビーム対応性情報を指示するためのビーム対応性情報指示フィールドを含んでよい。
【００７８】
一実施例において、該端末機器がネットワーク機器に該ビーム対応性情報を送信するステップは、
該端末機器が該ネットワーク機器に該ビーム対応性情報を含むメディアアクセス制御ＭＡＣ制御要素ＣＥを送信することを含む。
【００７９】
具体的には、端末機器がランダムアクセスに成功した後、該端末機器はネットワーク機器に該端末機器のビーム対応状況を通知するように、該ネットワーク機器にメディアアクセス制御（Ｍｅｄｉａ  Ａｃｃｅｓｓ  Ｃｏｎｔｒｏｌ、ＭＡＣ）制御要素（Ｃｏｎｔｒｏｌ  Ｅｌｅｍｅｎｔ、ＣＥ）を送信してよい。
【００８０】
一実施例において、該ＭＡＣ  ＣＥはさらに該端末機器のアップリンク送信ビームの情報及び／又はアップリンク送信ビームグループの情報の中の少なくとも１つを含んでもよく、ただし、該アップリンク送信ビームの情報はアップリンク送信ビームの数を含んでよく、該アップリンク送信ビームグループの情報はアップリンク送信ビームグループの数、該アップリンク送信ビームグループにおける各アップリンク送信ビームグループに含まれるアップリンク送信ビームの数又は該アップリンク送信ビームグループに含まれるアップリンク送信ビームの総数のうちの少なくとも１つを含んでよい。
【００８１】
一実施例において、該端末機器はＭｓｇ１メッセージ、Ｍｓｇ３メッセージ、ＲＲＣシグナリング又はＭＡＣ  ＣＥのうちの少なくとも１つのメッセージによって該ビーム対応性情報を送信してよく、例えば、該端末機器はＭｓｇ１メッセージ及びＭｓｇ３メッセージによって該ビーム対応性情報を送信してもよく、又はＭｓｇ１及びＲＲＣシグナリングによって該ビーム対応性情報を送信してもよく、又はＭｓｇ３及びＲＲＣシグナリングによって該ビーム対応性情報を送信してもよく、又はＭｓｇ１メッセージ、ＭＡＣ  ＣＥ及びＲＲＣシグナリングによって該ビーム対応性情報を送信してもよく、又はＭｓｇ１メッセージ、Ｍｓｇ３メッセージ、ＲＲＣシグナリング及びＭＡＣ  ＣＥによって該ビーム対応性情報を送信してもよい。
【００８２】
したがって、本願の実施例の通信方法によれば、端末機器は該端末機器におけるビーム対応性情報を決定でき、そしてネットワーク機器に該ビーム対応性情報を送信し、それによってネットワーク機器は該端末機器におけるビーム対応性が成立する場合、一方のリンク方向でのトレーニングビームのみを配置するだけでよく、それによって機器の負担が軽減される。
【００８３】
以上、図２を参照して、端末機器の観点から本願の実施例による通信方法について詳細に説明し、以下、図３を参照して、ネットワーク機器の観点から本願の実施例による通信方法について詳細に説明する。理解されるように、ネットワーク機器側の説明は端末機器側の説明に相互に対応するため、類似する説明について上記を参照されたい。重複を避けるため、ここでは説明を省略する。
【００８４】
図３は、ネットワーク機器の観点から説明した本願の実施例による通信方法であり、図３に示すように、該方法３００は、
ネットワーク機器が端末機器から送信された、該端末機器のアップリンク送信ビームとダウンリンク受信ビームとのビーム対応状況を示すビーム対応性情報を受信するＳ３１０と、
該ビーム対応性情報に基づき、該端末機器におけるビーム対応状況を決定するＳ３２０と、を含む。
【００８５】
一実施例において、該ビーム対応状況は複数のビーム対応状況の１つであり、該複数のビーム対応状況はビーム対応性成立及びビーム対応性不成立を含む。
【００８６】
具体的には、端末機器は複数のビーム対応状況を含むことができ、該ビーム対応性情報は端末機器のアップリンク送信ビーム及びダウンリンク受信ビームの具体的なビーム対応状況を示すことができる。該複数のビーム対応状況は２つのビーム対応状況を含んでよく、該２つのビーム対応状況は端末機器のアップリンク送信ビームとダウンリンク受信ビームとが対応関係を有するか又は対応関係を有しないことでよく、該端末機器のアップリンク送信ビームとダウンリンク受信ビームとが対応関係を有する場合、端末機器におけるビーム対応性が成立すると見なされ、そうでない場合、端末機器におけるビーム対応性が成立しないと見なされてよい。ネットワーク機器は端末機器から送信された、該端末機器におけるビーム対応状況を示すビーム対応性情報を受信してよく、該ビーム対応状況は複数のビーム対応状況の１つであり、該ビーム対応性情報は該端末機器におけるビーム対応性成立又はビーム対応性不成立を示すことができる。ネットワーク機器は該ビーム対応性情報に基づいて端末機器におけるビーム対応性が成立するか否かを決定でき、ビーム対応性が成立する場合、該ネットワーク機器は端末機器に一方のリンク方向でのトレーニングビームのみを配置するだけでよく、それによって機器の負担が軽減される。
【００８７】
１つの実施例として、該ネットワーク機器が端末機器から送信されたビーム対応性情報を受信するステップは、
該ネットワーク機器が該端末機器から送信された、該ビーム対応性情報を含み、ランダムアクセスプロセスにおいて該端末機器が該ネットワーク機器にランダムアクセスプリアンブル信号を送信するメッセージである第１のメッセージを受信することを含む。
【００８８】
具体的には、ネットワーク機器は該端末機器から送信された第１のメッセージを受信してよく、該第１のメッセージは該ビーム対応性情報を含み、該第１のメッセージはランダムアクセスプロセスにおいて該端末機器が該ネットワーク機器にランダムアクセスプリアンブル信号を送信するメッセージであってよく、すなわち該第１のメッセージはランダムアクセスプロセスにおけるＭｓｇ１であってよい。すなわち、端末機器はネットワーク機器にＭｓｇ１を送信してよく、該ネットワーク機器に該端末機器のビーム対応性情報を通知するように、該Ｍｓｇ１によって該ビーム対応性情報を搬送する。
【００８９】
一実施例において、該方法３００はさらに、
該ネットワーク機器が該端末機器に、該複数のビーム対応状況で該端末機器がランダムアクセス信号を送信するために使用される、ランダムアクセス用の時間領域リソースの情報、ランダムアクセス用の周波数領域リソースの情報又はランダムアクセス用のプリアンブルシーケンスの情報のうちの少なくとも１つを含む配置情報に対応する複数の配置情報を送信するステップを含む。
【００９０】
この場合、該Ｓ３１０はさらに、
該ネットワーク機器が、該端末機器が該ビーム対応状況に対応する配置情報を用いて送信した該ランダムアクセス信号を受信することを含んでもよく、
この場合、該Ｓ３２０はさらに、
該ネットワーク機器が受信した該ランダムアクセス信号に使用される配置情報に基づき、対応するビーム対応状況を決定することを含んでもよい。
【００９１】
具体的には、ネットワーク機器は端末機器に複数の配置情報を送信してよく、該複数の配置情報における各配置情報はランダムアクセス用の時間領域リソースの情報、ランダムアクセス用の周波数領域リソースの情報又はランダムアクセス用のプリアンブルシーケンスの情報のうちの少なくとも１つを示してよい。該複数の配置情報は複数のビーム対応状況で該端末機器がランダムアクセス信号を送信するために使用される配置情報にそれぞれ対応し、すなわち、端末機器は異なるビーム対応状況で対応する配置情報に含まれるランダムアクセス用の時間領域リソース、周波数領域リソース又はプリアンブルシーケンスのうちの少なくとも１つを用いてランダムアクセス信号を送信してよい。したがって、ネットワーク機器はさらに、端末機器がランダムアクセス信号を送信するために使用される時間領域リソース、周波数領域リソース又はプリアンブルシーケンスのうちの少なくとも１つに基づいて該端末機器が該複数の配置情報におけるどの配置情報を使用するかを決定でき、そして使用された配置情報に基づいて対応するビーム対応状況を決定することもできる。すなわちネットワーク機器は端末機器がランダムアクセス信号を送信するために使用されるリソースに基づいて端末機器のビーム対応状況を決定することができる。
【００９２】
一実施例において、該複数の配置情報は第１の配置情報及び第２の配置情報を含み、該第１の配置情報及び該第２の配置情報はビーム対応性成立及び該ビーム対応性不成立の状況で該端末機器が該ランダムアクセス信号を送信するために使用される配置情報にそれぞれ対応し、該ビーム対応性情報に基づき、該端末機器におけるビーム対応状況を決定する該ステップは、
該ネットワーク機器が、該端末機器が該第１の配置情報に含まれるランダムアクセス用の時間領域リソースの情報、ランダムアクセス用の周波数領域リソースの情報又はランダムアクセス用のプリアンブルシーケンスの情報のうちの少なくとも１つを用いて送信した該ランダムアクセス信号を受信した場合、該ネットワーク機器が該端末機器におけるビーム対応性の成立を決定すること、或いは
該ネットワーク機器が、該端末機器が該第２の配置情報に含まれるランダムアクセス用の時間領域リソースの情報、ランダムアクセス用の周波数領域リソースの情報又はランダムアクセス用のプリアンブルシーケンスの情報のうちの少なくとも１つを用いて送信した該ランダムアクセス信号を受信した場合、該ネットワーク機器が該端末機器におけるビーム対応性の不成立を決定することを含む。
【００９３】
具体的には、該複数の配置情報は第１の配置情報及び第２の配置情報を含んでよく、該第１の配置情報及び第２の配置情報は該ビーム対応性成立及び該ビーム対応性不成立の状況で該端末機器がランダムアクセス信号を送信するために使用される配置情報にそれぞれ対応してよく、すなわち該第１の配置情報及び第２の配置情報は２つのビーム対応状況で該端末機器がランダムアクセス信号を送信するために使用されるリソースをそれぞれ示す。具体的には、該ビーム対応性情報が該端末機器におけるビーム対応性の成立を示す場合、該端末機器はビーム対応性成立の状況で対応する第１の配置情報を用いてランダムアクセス信号を送信し、或いは該ビーム対応性情報が該端末機器におけるビーム対応性の不成立を示す場合、該端末機器はビーム対応性不成立の状況で対応する第２の配置情報を用いてランダムアクセス信号を送信する。したがって、ネットワーク機器は端末機器がランダムアクセス信号を送信するために使用されるリソースに基づき、端末機器が該複数の配置情報におけるどの配置情報を用いるかを決定でき、それによって対応するビーム対応状況を決定できる。すなわち、ネットワーク機器は該第１のメッセージに含まれるビーム対応性情報に基づいて端末機器におけるビーム対応状況を決定してもよく、該端末機器がランダムアクセス信号を送信するために使用されるリソースに基づき、端末機器におけるビーム対応状況を決定してもよい。
【００９４】
１つの実施例として、該ネットワーク機器が端末機器から送信されたビーム対応性情報を受信するステップは、
該ネットワーク機器が該端末機器から送信された、該ビーム対応性情報を含み、ランダムアクセスプロセスにおいて該端末機器が該ネットワーク機器に端末機器識別子を送信するメッセージである第２のメッセージを受信することを含む。
【００９５】
具体的には、ネットワーク機器は該端末機器から送信された第２のメッセージを受信してよく、該第２のメッセージは該ビーム対応性情報を含み、該第２のメッセージはランダムアクセスプロセスにおいて該端末機器が該ネットワーク機器に端末機器識別子を送信するメッセージであってよく、すなわち該第２のメッセージはランダムアクセスプロセスにおけるＭｓｇ３メッセージであってよい。すなわち、端末機器はネットワーク機器にＭｓｇ３メッセージを送信してよく、該ネットワーク機器に該端末機器のビーム対応性情報を通知するように、該Ｍｓｇ３メッセージによって該ビーム対応性情報を搬送する。
【００９６】
１つの実施例として、該ネットワーク機器が端末機器から送信されたビーム対応性情報を受信するステップは、
該ネットワーク機器が該端末機器から送信された、該ビーム対応性情報を含む無線リソース制御ＲＲＣシグナリングを受信することを含む。
【００９７】
１つの実施例として、該ビーム対応性情報は該端末機器の能力情報を報知するためのＲＲＣシグナリングに担持される。
【００９８】
１つの実施例として、該ネットワーク機器が端末機器から送信されたビーム対応性情報を受信するステップは、
該ネットワーク機器が該端末機器から送信された、該ビーム対応性情報を含むメディアアクセス制御ＭＡＣ制御要素ＣＥを受信することを含む。
【００９９】
１つの実施例として、該ＲＲＣシグナリング又は該ＭＡＣ  ＣＥはさらに該端末機器の該アップリンク送信ビームの情報及び／又はアップリンク送信ビームグループの情報の中の少なくとも１つを含む。
【０１００】
１つの実施例として、該アップリンク送信ビームの情報は該アップリンク送信ビームの数を含み、該アップリンク送信ビームグループの情報は該アップリンク送信ビームグループの数、該アップリンク送信ビームグループにおける各アップリンク送信ビームグループに含まれるアップリンク送信ビームの数又は該アップリンク送信ビームグループに含まれるアップリンク送信ビームの総数のうちの少なくとも１つを含む。
【０１０１】
したがって、本願の実施例の通信方法によれば、ネットワーク機器は端末機器から送信されたビーム対応性情報を受信し、該ビーム対応性情報に基づき、該端末機器におけるビーム対応状況を決定でき、それによってネットワーク機器は該端末機器におけるビーム対応性が成立する場合、一方のリンク方向でのトレーニングビームのみを配置するだけでよく、それによって機器の負担が軽減される。
【０１０２】
以上、図２乃至図３を参照して、本願の実施例による通信方法について詳細に説明し、以下、図４乃至図７を参照して、本願の実施例による通信装置について説明し、方法の実施例で説明された技術的特徴は以下の装置の実施例に適用される。
【０１０３】
図４は、本願の実施例による端末機器４００の概略ブロック図である。図４に示すように、該端末機器４００は、
該端末機器のアップリンク送信ビームとダウンリンク受信ビームとのビーム対応状況を示すビーム対応性情報を決定するための決定モジュール４１０と、
ネットワーク機器に該ビーム対応性情報を送信するための通信モジュール４２０と、を含む。
【０１０４】
１つの実施例として、該ビーム対応状況は複数のビーム対応状況の１つであり、該複数のビーム対応状況はビーム対応性成立及びビーム対応性不成立を含む。
【０１０５】
１つの実施例として、該通信モジュール４２０は具体的には、
該ネットワーク機器に、該ビーム対応性情報を含み、ランダムアクセスプロセスにおいて該端末機器が該ネットワーク機器にランダムアクセスプリアンブル信号を送信するメッセージである第１のメッセージを送信することに用いられる。
【０１０６】
１つの実施例として、該通信モジュール４２０はさらに、
該ネットワーク機器から送信された、該複数のビーム対応状況で該端末機器がランダムアクセス信号を送信するために使用される、ランダムアクセス用の時間領域リソースの情報、ランダムアクセス用の周波数領域リソースの情報又はランダムアクセス用のプリアンブルシーケンスの情報のうちの少なくとも１つを含む配置情報に対応する複数の配置情報を受信することに用いられ、
該通信モジュール４２０はさらに、
該ビーム対応状況に対応する配置情報を用いてランダムアクセス信号を送信することに用いられる。
【０１０７】
１つの実施例として、該複数の配置情報は第１の配置情報及び第２の配置情報を含み、該第１の配置情報及び第２の配置情報は該ビーム対応性成立及び該ビーム対応性不成立の状況で該端末機器が該ランダムアクセス信号を送信するために使用される配置情報にそれぞれ対応し、該通信モジュール４２０はさらに、
該ビーム対応性情報が端末機器におけるビーム対応性の成立を示す場合、該第１の配置情報に含まれるランダムアクセス用の時間領域リソースの情報、ランダムアクセス用の周波数領域リソースの情報又はランダムアクセス用のプリアンブルシーケンスの情報のうちの少なくとも１つを用いて該ランダムアクセス信号を送信すること、或いは、
該ビーム対応性情報が該端末機器におけるビーム対応性の不成立を示す場合、該第２の配置情報に含まれるランダムアクセス用の時間領域リソースの情報、ランダムアクセス用の周波数領域リソースの情報又はランダムアクセス用のプリアンブルシーケンスの情報のうちの少なくとも１つを用いて該ランダムアクセス信号を送信することに用いられる。
【０１０８】
１つの実施例として、該通信モジュール４２０は具体的には、
該ネットワーク機器に、該ビーム対応性情報を含み、ランダムアクセスプロセスにおいて該端末機器が該ネットワーク機器に端末機器識別子を送信するメッセージである第２のメッセージを送信することに用いられる。
【０１０９】
１つの実施例として、該通信モジュール４２０は具体的には、
該ネットワーク機器に該ビーム対応性情報を含む無線リソース制御ＲＲＣシグナリングを送信することに用いられる。
【０１１０】
一実施例において、該ビーム対応性情報は該端末機器の能力情報を報知するためのＲＲＣシグナリングに含まれる。
【０１１１】
１つの実施例として、該通信モジュール４２０は具体的には、
該ネットワーク機器に該ビーム対応性情報を含むメディアアクセス制御ＭＡＣ制御要素ＣＥを送信することに用いられる。
【０１１２】
１つの実施例として、該ＲＲＣシグナリング又は該ＭＡＣ  ＣＥはさらに該端末機器の該アップリンク送信ビームの情報又はアップリンク送信ビームグループの情報の中の少なくとも１つを含む。
【０１１３】
１つの実施例として、該アップリンク送信ビームの情報は該アップリンク送信ビームの数を含み、該アップリンク送信ビームグループの情報は該アップリンク送信ビームグループの数、該アップリンク送信ビームグループにおける各アップリンク送信ビームグループに含まれるアップリンク送信ビームの数又は該アップリンク送信ビームグループに含まれるアップリンク送信ビームの総数のうちの少なくとも１つを含む。
【０１１４】
一実施例において、該決定モジュール４１０は具体的には、
該端末機器が、該端末機器による少なくとも１つのダウンリンク受信ビームに対する測定に基づき、アップリンク伝送用のアップリンク送信ビームを決定できる条件、又は
該端末機器が、該ネットワーク機器が該端末機器の少なくとも１つのアップリンク送信ビームを測定することで得られる該ネットワーク機器の指示に基づき、ダウンリンク伝送用のダウンリンク受信ビームを決定できる条件のうちの少なくとも１つを満たすと、
該ビーム対応性情報が該端末機器におけるビーム対応性の成立を示すことを決定することに用いられる。
【０１１５】
理解されるように、本願の実施例による端末機器４００は本願の方法の実施例における端末機器に対応でき、且つ端末機器４００における各ユニットの上記及び他の操作及び／又は機能はそれぞれ図２に示される方法２００における端末機器の対応するフローを実現するために用いられ、簡潔のために、ここでは説明を省略する。
【０１１６】
図５は、本願の実施例によるネットワーク機器５００の概略ブロック図である。図５に示すように、該ネットワーク機器５００は、
端末機器から送信された、該端末機器のアップリンク送信ビームとダウンリンク受信ビームとのビーム対応状況を示すビーム対応性情報を受信するための通信モジュール５１０と、
該ビーム対応性情報に基づき、該端末機器におけるビーム対応状況を決定するための決定モジュール５２０と、を含む。
【０１１７】
１つの実施例として、該ビーム対応状況は複数のビーム対応状況の１つであり、該複数のビーム対応状況はビーム対応性成立及びビーム対応性不成立を含む。
【０１１８】
１つの実施例として、該通信モジュール５１０は具体的には、
該端末機器から送信された、該ビーム対応性情報を含み、ランダムアクセスプロセスにおいて該端末機器が該ネットワーク機器にランダムアクセスプリアンブル信号を送信するメッセージである第１のメッセージを受信することに用いられる。
【０１１９】
１つの実施例として、該通信モジュール５１０はさらに、
該複数のビーム対応状況で該端末機器がランダムアクセス信号を送信するために使用される、ランダムアクセス用の時間領域リソースの情報、ランダムアクセス用の周波数領域リソースの情報又はランダムアクセス用のプリアンブルシーケンスの情報のうちの少なくとも１つを含む配置情報に対応する複数の配置情報を該端末機器に送信することに用いられ、
該通信モジュール５１０はさらに、
該端末機器が該ビーム対応状況に対応する配置情報を用いて送信したランダムアクセス信号を受信することに用いられる。
【０１２０】
一実施例において、該複数のビーム対応状況は該端末機器におけるビーム対応性成立及びビーム対応性不成立を含み、該複数の配置情報は第１の配置情報及び第２の配置情報を含み、該第１の配置情報及び該第２の配置情報はビーム対応性成立及び該ビーム対応性不成立の状況で該端末機器が該ランダムアクセス信号を送信するために使用される配置情報にそれぞれ対応し、該決定モジュール５２０は具体的には、
該ネットワーク機器が、該端末機器が該第１の配置情報に含まれるランダムアクセス用の時間領域リソースの情報、ランダムアクセス用の周波数領域リソースの情報又はランダムアクセス用のプリアンブルシーケンスの情報のうちの少なくとも１つを用いて送信した該ランダムアクセス信号を受信した場合、該端末機器におけるビーム対応性の成立を決定することに用いられ、或いは
該ネットワーク機器が、該端末機器が該第２の配置情報に含まれるランダムアクセス用の時間領域リソースの情報、ランダムアクセス用の周波数領域リソースの情報又はランダムアクセス用のプリアンブルシーケンスの情報のうちの少なくとも１つを用いて送信した該ランダムアクセス信号を受信した場合、該端末機器におけるビーム対応性の不成立を決定することに用いられる。
【０１２１】
１つの実施例として、該通信モジュール５１０は具体的には、
該端末機器から送信された、該ビーム対応性情報を含み、ランダムアクセスプロセスにおいて該端末機器が該ネットワーク機器に端末機器識別子を送信するメッセージである第２のメッセージを受信する。
【０１２２】
１つの実施例として、該通信モジュール５１０は具体的には、
該端末機器から送信された、該ビーム対応性情報を含む無線リソース制御ＲＲＣシグナリングを受信することに用いられる。
【０１２３】
一実施例において、該ビーム対応性情報は該端末機器の能力情報を報知するためのＲＲＣシグナリングに担持される。
【０１２４】
１つの実施例として、該通信モジュール５１０は具体的には、
該端末機器から送信された、該ビーム対応性情報を含むメディアアクセス制御ＭＡＣ制御要素ＣＥを受信することに用いられる。
【０１２５】
一実施例において、該ＲＲＣシグナリング又は該ＭＡＣ  ＣＥはさらに該端末機器のアップリンク送信ビームの情報及び／又はアップリンク送信ビームグループの情報の中の少なくとも１つを含む。
【０１２６】
一実施例において、該アップリンク送信ビームの情報は該アップリンク送信ビームの数を含み、該アップリンク送信ビームグループの情報は該アップリンク送信ビームグループの数、該アップリンク送信ビームグループにおける各アップリンク送信ビームグループに含まれるアップリンク送信ビームの数又は該アップリンク送信ビームグループに含まれるアップリンク送信ビームの総数のうちの少なくとも１つを含む。
【０１２７】
理解されるように、本願の実施例によるネットワーク機器５００は本願の方法の実施例におけるネットワーク機器に対応でき、且つネットワーク機器５００における各ユニットの上記及び他の操作及び／又は機能はそれぞれ図３に示される方法３００におけるネットワーク機器の対応するフローを実現するために用いられ、簡潔のために、ここでは説明を省略する。
【０１２８】
図６に示すように、本願の実施例はさらに端末機器６００を提供し、該端末機器６００は図４における端末機器４００であってよく、図２における方法２００に対応する端末機器の内容を実行するために用いることができる。該端末機器６００は、入力インタフェース６１０、出力インタフェース６２０、プロセッサ６３０及びメモリ６４０を含み、該入力インタフェース６１０、出力インタフェース６２０、プロセッサ６３０及びメモリ６４０はバスシステムによって接続されてよい。前記メモリ６４０はプログラム、コマンド又はコードを記憶するために用いられる。前記プロセッサ６３０は信号を受信するように入力インタフェース６１０を制御し、信号を送信するように出力インタフェース６２０を制御し、及び前述した方法の実施例における操作を完了するように、前記メモリ６４０におけるプログラム、コマンド又はコードを実行するために用いられる。
【０１２９】
本願の実施例では、該プロセッサ６３０は中央処理ユニット（Ｃｅｎｔｒａｌ  Ｐｒｏｃｅｓｓｉｎｇ  Ｕｎｉｔ、「ＣＰＵ」と略称する）であってもよく、また該プロセッサ６３０は他の汎用プロセッサ、デジタル信号プロセッサ（ＤＳＰ）、特定用途向け集積回路（ＡＳＩＣ）、フィールドプログラム可能ゲートアレイ（ＦＰＧＡ）又は他のプログラム可能論理デバイス、ディスクリートゲート又はトランジスタ論理デバイス、ディスクリートハードウェアコンポーネントなどであってもよいと理解すべきである。汎用プロセッサはマイクロプロセッサであってもよく、又は該プロセッサは任意の従来のプロセッサなどであってもよい。
【０１３０】
該メモリ６４０はリードオンリーメモリ及びランダムアクセスメモリを含んでよく、且つプロセッサ６３０にコマンド及びデータを提供する。メモリ６４０の一部は、不揮発性ランダムアクセスメモリをさらに含んでよい。例えば、メモリ６４０はさらに、機器タイプの情報を記憶することができる。
【０１３１】
実現過程において、上記方法の各内容はプロセッサ６３０におけるハードウェアの集積論理回路又はソフトウェア形式のコマンドにより完了することができる。本願の実施例に開示された方法を組み合わせる内容は、ハードウェアプロセッサの実行、又はプロセッサにおけるハードウェア及びソフトウェアモジュールの組み合わせの実行により完了すると直接具現化されることができる。ソフトウェアモジュールはランダムメモリ、フラッシュメモリ、リードオンリーメモリ、プログラム可能リードオンリーメモリ又は電気的消去プログラム可能メモリ、レジスタなどの当該技術分野の成熟した記憶媒体に位置することができる。該記憶媒体はメモリ６４０に位置し、プロセッサ６３０はメモリ６４０における情報を読み取り、そのハードウェアと組み合わせて上記方法の内容を完了する。重複を避けるため、ここでは詳細に説明しない。
【０１３２】
１つの具体的な実施形態において、図４における決定モジュール４１０は図６のプロセッサ６３０により実現でき、通信モジュール４２０は図６の入力インタフェース６１０及び出力インタフェース６２０により実現することができる。
【０１３３】
図７に示すように、本願の実施例はさらにネットワーク機器７００を提供し、該ネットワーク機器７００は図５におけるネットワーク機器５００であってよく、図３における方法３００に対応するネットワーク機器の内容を実行するために用いることができる。該ネットワーク機器７００は、入力インタフェース７１０、出力インタフェース７２０、プロセッサ７３０及びメモリ７４０を含み、該入力インタフェース７１０、出力インタフェース７２０、プロセッサ７３０及びメモリ７４０はバスシステムによって接続されてよい。前記メモリ７４０はプログラム、コマンド又はコードを記憶するために用いられる。前記プロセッサ７３０は信号を受信するように入力インタフェース７１０を制御し、信号を送信するように出力インタフェース７２０を制御し、及び前述した方法の実施例における操作を完了するように、前記メモリ７４０におけるプログラム、コマンド又はコードを実行するために用いられる。
【０１３４】
本願の実施例では、該プロセッサ７３０は中央処理ユニット（Ｃｅｎｔｒａｌ  Ｐｒｏｃｅｓｓｉｎｇ  Ｕｎｉｔ、「ＣＰＵ」と略称する）であってもよく、また該プロセッサ７３０は他の汎用プロセッサ、デジタル信号プロセッサ（ＤＳＰ）、特定用途向け集積回路（ＡＳＩＣ）、フィールドプログラム可能ゲートアレイ（ＦＰＧＡ）又は他のプログラム可能論理デバイス、ディスクリートゲート又はトランジスタ論理デバイス、ディスクリートハードウェアコンポーネントなどであってもよいと理解すべきである。汎用プロセッサはマイクロプロセッサであってもよく、又は該プロセッサは任意の従来のプロセッサなどであってもよい。
【０１３５】
該メモリ７４０はリードオンリーメモリ及びランダムアクセスメモリを含んでよく、且つプロセッサ７３０にコマンド及びデータを提供する。メモリ７４０の一部は、不揮発性ランダムアクセスメモリをさらに含むことができる。例えば、メモリ７４０はさらに、機器タイプの情報を記憶することができる。
【０１３６】
実現過程において、上記方法の各内容はプロセッサ７３０におけるハードウェアの集積論理回路又はソフトウェア形式のコマンドにより完了することができる。本願の実施例に開示された方法を組み合わせる内容は、ハードウェアプロセッサの実行、又はプロセッサにおけるハードウェア及びソフトウェアモジュールの組み合わせの実行により完了すると直接具現化されることができる。ソフトウェアモジュールはランダムメモリ、フラッシュメモリ、リードオンリーメモリ、プログラム可能リードオンリーメモリ又は電気的消去プログラム可能メモリ、レジスタなどの当該技術分野の成熟した記憶媒体に位置することができる。該記憶媒体はメモリ７４０に位置し、プロセッサ７３０はメモリ７４０における情報を読み取り、そのハードウェアと組み合わせて上記方法の内容を完了する。重複を避けるため、ここでは詳細に説明しない。
【０１３７】
１つの具体的な実施形態において、図５における通信モジュール５１０は図７の入力インタフェース７１０及び出力インタフェース７２０により実現でき、決定モジュール５２０は図７のプロセッサ７３０により実現することができる。
【０１３８】
当業者が分かるように、本明細書に開示された実施例を参照しながら説明した各例のユニット及びアルゴリズムステップが、電子ハードウェア、又はコンピュータソフトウェア及び電子ハードウェアの組み合わせで実現することができる。これらの機能がハードウェアで実行されるか、ソフトウェアで実行されるかは、技術的解決手段の特定のアプリケーション及び設計制約条件に依存する。当業者は各特定のアプリケーションに対して異なる方法を用いて説明された機能を実現することができるが、このような実現は本願の範囲を超えると考えられるべきではない。
【０１３９】
当業者に自明なように、説明の利便さ及び簡素化から、上記説明されたシステム、装置及びユニットの具体的な作動過程については、前述した方法の実施例における対応過程を参照すればよいため、ここで詳細な説明を省略する。
【０１４０】
本願に係る幾つかの実施例に開示されるシステム、装置及び方法は、他の形態により実現することもできると理解すべきである。例えば、以上に説明された装置の実施例は例示的なものにすぎない。例えば、該ユニットの分割は、論理機能上の分割にすぎず、実施する際に別の形態で分割することもでき、例えば、複数のユニット又はコンポーネントを別のシステムに組み合わせもしくは集積させたり、又は一部の特徴を反映させず、実行しなかったりしてもよい。また、表示又は検討した相互の結合又は直接的な結合又は通信接続は、幾つかのインタフェース、装置又はユニットを用いる間接的結合又は通信接続とすることもでき、電気的形態、機械的形態又はその他の形態とすることもできる。
【０１４１】
分離部材として説明される該ユニットは、物理的に分離されるものであってもよいが、分離されないものであってもよい。ユニットとして示される部材は、物理的なユニットであってもよいが、物理的なユニットでなくてもよい。すなわち、同一の場所に設けられるものであってもよいが、複数のネットワークユニットに配置されるものであってもよい。必要に応じて、一部のユニットだけを用いるか、又は全てのユニットを使用して本実施例の解決手段の目的を達成することができる。
【０１４２】
また、本願の各実施例において、各機能ユニットが１つの処理ユニットに集積されてもよいが、各ユニットが単独で物理的な部材として存在するか、又は２つ以上のユニットが１つのユニットに集積されてもよい。
【０１４３】
該機能は、ソフトウェアの機能ユニットの形で実現されて、独立した製品として販売されるか又は使用される時に、コンピュータ読み取り可能な記憶媒体に記憶されてもよい。このような理解に基づき、本願の技術的解決手段の本質的に従来技術に貢献する部分又は該技術的解決手段の部分はソフトウェア製品の形式で表すことができ、該コンピュータソフトウェア製品は記憶媒体に記憶され、コンピュータ機器（パーソナルコンピュータ、サーバ、又はネットワーク機器など）に本願の各実施例の該方法の全部又は一部のステップを実行させるのに用いる若干のコマンドを含む。前述した記憶媒体は、ＵＳＢフラッシュドライブ、モバイルハードディスクドライブ、リードオンリーメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又はコンパクトディスクなどの、プログラムコードを記憶できる様々な媒体を含む。
【０１４４】
以上に記載される内容は、本願の具体的な実施形態にすぎず、本願の保護範囲はこれに限定されない。当業者が本願に開示される技術範囲において容易に想到し得る変更や置換などは、いずれも本願の保護範囲に含まれる。これにより、本願の保護範囲は、特許請求の範囲に記載の内容に準拠する。
【図１】
0006880205.tif 000002
【図２】
0006880205.tif 000003
【図３】
0006880205.tif 000004
【図４】
0006880205.tif 000005
【図５】
0006880205.tif 000006
【図６】
0006880205.tif 000007
【図７】
0006880205.tif 000008